(57)【要約】【課題】選択された音色の種類によってハーモニの空間的拡がりを変えることのできる電子楽器を提供せんとするものである。【解決手段】コード検出部１１と、検出されたコードから、予め設定された各ハーモニパートに対応するノートデータを割り振りると共に、設定された音色の種類によって、各ハーモニパートの２次元又は３次元の音像定位を設定するハーモニ付加部１２と、音像定位の設定された夫々のハーモニパートの各ノートデータを、楽音発生チャンネルに割り当てるキー＆トーンアサイナ１３と、割り当てられた楽音発生チャンネル毎に、パラメータ設定された音色データに対応する各ノートデータを読み出し、楽音を発生せしめる楽音発生部１４とを有している。【選択図】　　　　図３
2004045902.tif 000002
【特許請求の範囲】
【請求項１】
押鍵情報からコードを検出するコード検出手段と、
検出されたコードから、予め設定された各ハーモニパートに対応するノートデータを割り振りると共に、設定された音色の種類によって、各ハーモニパートの２次元又は３次元の音像定位を設定するハーモニ付加手段と、
音像定位の設定された夫々のハーモニパートの各ノートデータを、楽音発生チャンネルに割り当てる割当手段と、
割り当てられた楽音発生チャンネル毎に、パラメータ設定された音色データに対応する各ノートデータを読み出し、楽音を発生せしめる楽音発生手段と
を有することを特徴とする電子楽器。
【請求項２】
押鍵情報からコードを検出するコード検出手段と、
押鍵情報に基づき自動伴奏を実行する自動伴奏手段と、
検出されたコードから、予め設定された各ハーモニパートに対応するノートデータを割り振りると共に、設定された音色の種類によって、各ハーモニパートの２次元又は３次元の音像定位を設定するハーモニ付加手段と、
音像定位の設定された夫々のハーモニパートの各ノートデータを、楽音発生チャンネルに割り当てると共に、自動伴奏実行による楽音発生チャンネルを同じく割り当てる割当手段と、
割り当てられた楽音発生チャンネル毎に、パラメータ設定された音色データに対応する各ノートデータを読み出し、楽音を発生せしめる楽音発生手段と
を有することを特徴とする電子楽器。
【請求項３】
上記ハーモニ付加手段による２次元の音像定位の設定がなされる際、各パートの平面方向における音量を任意の状態に設定することを特徴とする請求項１又は請求項２記載の電子楽器。
【請求項４】
上記ハーモニ付加手段による３次元の音像定位の設定がなされる際、各パートの平面方向における音量を任意の状態に設定すると共に、奥行き方向におけるディレイ設定に違いを設けることを特徴とする請求項１又は請求項２記載の電子楽器。
【発明の詳細な説明】
【０００１】
【発明の属する技術分野】
本発明は、アンサンブル演奏が可能な電子楽器に関する。
【０００２】
【従来の技術】
自動伴奏付き電子ピアノや電子オルガン等では、ひとりで簡単にアンサンブル演奏を楽しむことができる。
【０００３】
この場合の自動伴奏とは、リズムとテンポをあらかじめ設定し自動伴奏をオンにして、鍵盤を弾くと、押されている鍵からコード判別を行い伴奏を付加するというものである。
【０００４】
また、伴奏とは別に、上記コード判別の結果から自分の弾いているメロディに対し、例えば３度上、４度下等にハーモニをつける機能もある。
【０００５】
【発明が解決しようとする課題】
しかし、上記のようなアンサンブル演奏で選択可能なヴォーカルの音色の例を考えてみると、ハーモニを加えるということは、複数の人間が声を出すということになり、複数の人間が同一の所から声を出すことはできないので、空間上で拡がりがでてくる。これはヴォーカルの音色の例だけではなく、管楽器、弦楽器等のソロ楽器などにもあてはまる。
【０００６】
他方ピアノ等の鍵盤楽器は、一人で鍵盤の抑え方でハーモニを作る事が多いため、ハーモニをつけて演奏したことによる拡がりの変化はあまりない。
【０００７】
上記のような電子楽器では、３度上、４度下などというように音程に変化をつけてハーモニを付加することはあったが、ハーモニに対して空間的な拡がりを付加することはなかった。
【０００８】
また、楽器によってハーモニの空間的拡がりを変えることもできなかった。
【０００９】
本発明は以上のような実情に鑑み創案されたもので、選択された音色の種類によってハーモニの空間的拡がりを変えることのできる電子楽器を提供せんとするものである。
【００１０】
【課題を解決するための手段】
本発明に係る電子楽器は、
押鍵情報からコードを検出するコード検出手段と、
検出されたコードから、予め設定された各ハーモニパートに対応するノートデータを割り振りると共に、設定された音色の種類によって、各ハーモニパートの２次元又は３次元の音像定位を設定するハーモニ付加手段と、
音像定位の設定された夫々のハーモニパートの各ノートデータを、楽音発生チャンネルに割り当てる割当手段と、
割り当てられた楽音発生チャンネル毎に、パラメータ設定された音色データに対応する各ノートデータを読み出し、楽音を発生せしめる楽音発生手段と
を有することを有することを基本的特徴としている。
【００１１】
デフォルトで或いはパネル設定などにより予め決められた数のハーモニパートに対し、ハーモニ付加手段により、検出されたコードの基本ノートデータが１のハーモニパートがそれに割り振られ、また該コードの残りのノートデータが夫々別のハーモニパートに割り当てられる。さらに、同じくパネル設定などによりパラメータ設定のされた音色の種類に基づき、ハーモニ付加手段によって、各ハーモニパートの２次元又は３次元の音像定位が設定される。そして割当手段により、音像定位の設定された夫々のハーモニパートの各ノートデータが、楽音発生チャンネルに割り当てられ、楽音発生手段により、割り当てられた楽音発生チャンネル毎に、パラメータ設定された音色データに対応する各ノートデータが読み出され、楽音が発生せしめられることになる。
【００１２】
ここで、ハーモニ付加手段による各ハーモニパート（ここでは説明を容易にするため基本ハーモニパートのノートデータに対し３度上のハーモニパートと４度下のハーモニパートに設定されるものとして説明する）の２次元の音像定位とは、各パートの平面方向（聞く者に対して左右の横方向など）における音量を任意の状態に設定すること（請求項３）を意味しており、たとえば基本ハーモニパートのノートデータの音量デプスをＬ・Ｒ共に７０とした場合、３度上のパートのＲ側音量デプスを１００・Ｌ側音量デプスを４０とし、また４度下のパートのＲ側音量デプスを４０・Ｌ側音量デプスを１００とするように、パンの広がりデプス（２次元的な音像定位）に設定することを言う。
【００１３】
また３次元の音像定位とは、上記のような２次元的定位設定と共に、奥行き方向におけるディレイ設定に違いを設けること（請求項４）を意味しており、たとえば各ハーモニパート間では、上述のような音量設定が行われ、さらに、夫々のハーモニパートの１列目ではディレイ０ｍｓ、２列目ではディレイ５ｍｓ、３列目では１０ｍｓというように、ディレイをかけて、奥行きの出る設定を行うことを言う（もちろんこのディレイタイムは、奥行き方向の距離などによって異なる設定となる）。
【００１４】
請求項２の構成は、上記請求項１の構成にさらに自動伴奏機能を付加した構成であり、より具体的には、
押鍵情報からコードを検出するコード検出手段と、
押鍵情報に基づき自動伴奏を実行する自動伴奏手段と、
検出されたコードから、予め設定された各ハーモニパートに対応するノートデータを割り振りると共に、設定された音色の種類によって、各ハーモニパートの２次元又は３次元の音像定位を設定するハーモニ付加手段と、
音像定位の設定された夫々のハーモニパートの各ノートデータを、楽音発生チャンネルに割り当てると共に、自動伴奏実行による楽音発生チャンネルを同じく割り当てる割当手段と、
割り当てられた楽音発生チャンネル毎に、パラメータ設定された音色データに対応する各ノートデータを読み出し、楽音を発生せしめる楽音発生手段と
を有することを特徴としている。
【００１５】
このように、さらに自動伴奏機能が付加されることで、アンサンブル演奏がより楽しく行うことが可能となる。
【００１６】
【発明の実施の形態】
以下、本発明の実施の形態を図示例と共に説明する。
図１は、本発明の一実施例にかかる演奏制御装置構成が搭載された電子オルガン１００の外観構成を示す斜視図、図２は該電子オルガンの基本回路図、図３は本発明の機能ブロックを示すブロック図である。上記電子オルガン１００には、後述するパネル操作部１１５の設定により、押されている鍵からコード判別を行い、そのコード判別結果から、演奏者の弾いているメロディに対し、３度上、４度下といったハーモニをつけてアンサンブル演奏ができる機能が備えられている。
【００１７】
上記電子オルガン１００は、図２に示すように、システムバス１１０上に、ＣＰＵ（Ｃｅｎｔｒａｌ　Ｐｒｏｃｅｓｓｉｎｇ　Ｕｎｉｔ）１１１、ＲＡＭ（Ｒａｎｄｏｍ　Ａｃｃｅｓｓ　Ｍｅｍｏｒｙ）１１２、ＲＯＭ（Ｒｅａｄ　Ｏｎｌｙ　Ｍｅｍｏｒｙ）１１３、キースキャン回路１１４ａを介して接続された鍵盤部１１４、パネルスキャン回路１１５ａを介して接続されたパネル操作部１１５、表示制御回路１１６ａを介して接続された表示部１１６、各音色に対応する（音色パラメータとして指定される）波形データを波形メモリ１１７ａ内に有し且つ該メモリから音色パラメータで設定された波形データの読み出しを行う音源による６４チャンネル同時発音可能な楽音発生回路１１７、及びＤＳＰ効果付加回路１１８が、各接続されており、該システムバス１１０を通じてこれらのデバイスに各種命令やデータの受け渡しがなされる。また前記ＤＳＰ効果付加回路１１８には、リバーブなどの効果付加された楽音をアナログに変換するＤ／Ａ変換回路１１９と、それを増幅する増幅器及び外部に発音せしめるスピーカなどのサウンドシステム１２０が電気的に接続されている。
【００１８】
上記ＣＰＵ１１１は、前記ＲＯＭ１１２のプログラムメモリ記憶部に記憶されている制御プログラムに従って、本発明構成を含む電子オルガン１００の各部を制御するものであり、また上記プログラムメモリ記憶部に記憶されたアプリケーションプログラムを実行し、必要に応じて、ＲＡＭ１１２を作業領域として使用し、さらにＲＯＭ１１３に記憶された種々の固定データを使用しながらデータ処理を行う構成である。
【００１９】
上記ＲＡＭ１１２は、装置のステータス情報を記憶したり、ＣＰＵ１１１の作業領域として使用されるものである。尚、当該電子オルガン１００を制御するための各種レジスタやフラグ等は、ＲＡＭ１１２に定義されており、このＲＡＭ１１２は、ＣＰＵ１１１により、システムバス１１０を介してアクセスされる。
【００２０】
上記ＲＯＭ１１３は、上述のように、本電子オルガン１００全体を制御するプログラムを格納している他、ＣＰＵ１１１が使用する種々の固定データ（キーアサインテーブルやコード検出テーブルなどを含む）が記憶されている。
【００２１】
上記鍵盤部１１４は、電子オルガン１００の鍵盤で構成されており、複数の鍵盤と、これらの押鍵や離鍵に連動して開閉する鍵盤スイッチからなる。この鍵盤部１１４とシステムバス１１０の間に介在するキースキャン回路１１４ａは、鍵盤スイッチの状態を調べ、そのＯＮ／ＯＦＦを示す信号から鍵盤タッチの強さ（速さ）を示すタッチデータを生成すると共に、ＯＮ又はＯＦＦ情報とその鍵盤ナンバーを出力するものである。このＯＮ／ＯＦＦ情報及び鍵盤ナンバー、タッチデータは、押鍵情報として、システムバス１１０を介してＣＰＵ１１１に送られる。
【００２２】
上記パネル操作部１１５は、電源スイッチ、音色選択スイッチなど各種スイッチ及びモード選択タッチパネル、ボリューム可変器などが設けられている。このパネル操作部１１５とシステムバス１１０の間に介在する前記パネルスキャン回路１１５ａは、上記パネル操作部１１５に設けられた各スイッチやタッチパネルのセット／リセット状態を調べ、ＯＮ状態になっているパネルスイッチデータを検出してＣＰＵ１１１に送出するものである。
【００２３】
本実施例では、上記パネル操作部１１５のパネル操作によって、通常の演奏モードとメロディにハーモニが自動的につけられて演奏されるアンサンブル演奏モードの設定（或いはこれらのモードに自動伴奏が付加できるモード設定も可）、及び自分の好きな音色で鍵盤演奏ができるように設定（選択）できる音色設定が少なくともできるようになっている。
【００２４】
上記表示部１１６は、表示制御回路１１６ａを介してシステムバス１１０につながれており、ＣＰＵ１１１からの制御により、上記パネル操作部１１５の各種操作状態や、電子オルガン１００の動作状態、上記モード設定状態、音色設定状態などが表示される構成である。
【００２５】
図３は、電子オルガン１００において、演奏者の弾いているメロディに対し、ハーモニをつけてアンサンブル演奏ができる構成として組み込まれた本発明に係る構成の機能ブロック図である。このアンサンブル演奏機能が実行される構成は、同図に示されるように、パネル操作部１１５及びそのパネルスキャン回路１１５ａによる設定で演奏者が音色選択を行った場合にその音色パラメータの設定を行う音色設定部１０と、キースキャン回路１１４ａでスキャンされた鍵盤部１１４の押鍵情報からコードを検出するコード検出部１１と、検出されたコードから、予めデフォルトで設定された（又はパネル操作部１１５で設定されるようにしても良い）各ハーモニパートに対応するノートデータを割り振りると共に、パラメータ設定のされた音色の種類によって、各ハーモニパートの２次元又は３次元の音像定位を設定するハーモニ付加部１２と、音像定位の設定された夫々のハーモニパートの各ノートデータを、楽音発生チャンネル（後述の楽音発生回路１１７の所定のチャンネル）に割り当てる割当部に相当するキー＆トーンアサイナ１３と、割り当てられた楽音発生チャンネル毎に、パラメータ設定された音色データに対応する各ノートデータを読み出して楽音を発生せしめる楽音発生部１４とを有している。
【００２６】
その他、本実施例では、例えばパネル操作部１１５の操作によって、鍵盤部１１４の任意のポイントをスプリットポイントとしてその左側をコード指定領域とし、右側をメロディ演奏領域とし、該コード指定領域の押鍵情報にあわせて自動伴奏を行う自動伴奏部１５が設けられるようにしても良い。またこの自動伴奏部１５の自動伴奏機能は、コード検出部１１により検出されたコードを基に自動伴奏を行うものでも良い。この自動伴奏による演奏データは、上記キー＆トーンアサイナ１３に送られ、楽音発生チャンネルに割り当てられることになる。
【００２７】
上記音色設定部１０は、上述のように、パネル操作部１１５及びそのパネルスキャン回路１１５ａによる設定で演奏者が音色選択を行った場合に、その音色設定が音色パラメータとして記憶されるＲＡＭ１１２で構成されている。
【００２８】
上記コード検出部１１は、ＣＰＵ１１１及びＲＯＭ１１３で構成されており、キースキャン回路１１４ａでスキャンされた鍵盤部１１４の押鍵情報からコード、すなわち付加音を検出する機能を有する。具体的には、パネル操作部１１５のパネル操作でアンサンブル演奏モードが選択された際、設定演奏者が鍵盤部１１４で弾いたメロディ部分のノートデータを基本ノートとして、コード検出テーブル（図示なし）を参照して、例えばその基本ノートの３度上のノートと４度下のノートを、付加音として送出することになる。
【００２９】
上記ハーモニ付加部１２は、上記ＣＰＵ１１１、ＲＡＭ１１２及びＲＯＭ１１３で構成されており、検出されたコードから、予め設定された各ハーモニパートに対応するノートデータ（基本ノートデータ及び付加音データ）を割り振りると共に、パラメータ設定のされた音色の種類によって、各ハーモニパートの２次元又は３次元の音像定位を設定する機能を有している。
【００３０】
より具体的には、該ハーモニ付加部１２の構成は、図４に示すように、コード検出部１１からコード入力されてくるノートデータを、各ハーモニパートへ割当設定する割当設定部１２ａと、音色設定部１０で設定された音色パラメータに基づく各ハーモニパートへの音像定位設定パラメータが格納された音色別ハーモニデータ設定格納部１２ｂと、該音色別ハーモニデータ設定格納部１２ｂから各ハーモニパートへの音像定位設定パラメータが読み出され、それに基づき、上記割当設定部１２ａで各ハーモニパートへ割当設定されたノートデータに対して、２次元又は３次元の音像定位を設定して外部に出力する音像定位設定部１２ｃとを備えている。
【００３１】
上記キー＆トーンアサイナ１３は、ＣＰＵ１１１で構成されており、通常のキーアサイナとほぼ同じ機能を有しているが、上述のように、音像定位の設定された夫々のハーモニパートの各ノートデータを、楽音発生回路１１７の所定のチャンネルに割り当てる際に、夫々のチャンネルで読み出すべき音色データ及びベロシティデータも、パラメータとして楽音発生回路１１７に指示する。
【００３２】
上記楽音発生部１４は、上述した波形メモリ１１７ａを有する楽音発生回路１１７と、ＤＳＰ効果付加回路１１８と、Ｄ／Ａ変換回路１１９と、サウンドシステム１２０とで構成されている。そのうち、割り当てられた楽音発生チャンネル毎に、パラメータ設定された音色データに対応する各ノートデータを読み出して楽音を発生せしめる基本機能は、波形メモリ１１７ａを備えた楽音発生回路１１７で行われる。
【００３３】
以上のような実施例構成では、この電子オルガン１００で演奏しようとする者が、電源をＯＮにすると、図５のメイン処理ルーチンに示すように、電子オルガン１００の電子回路の初期化が行われる（ステップＳ１０１）。
【００３４】
そしてパネルスキャンがなされる（ステップＳ１０２）。ここではパネルスイッチの状態変化を検出し、スイッチイベント即ちパネルスイッチの状態変化を検出した場合には、夫々のスイッチに対応する処理が行われる。
【００３５】
そして鍵盤処理がなされ（ステップＳ１０３）、鍵盤状態の変化が検出され、鍵盤イベント即ち鍵の状態変化が検出された場合には周知のキーアサイン或いはキーオフなどの処理がなされる。
【００３６】
上記パネル処理で自動伴奏モードに設定がなされている場合には、次に自動演奏処理がなされる（ステップＳ１０４）。すなわち、自動演奏状態で且つ発音タイミングが到来している演奏情報があれば鍵盤イベントと同様に、発音制御される。
【００３７】
その後後述する付加音処理がなされ（ステップＳ１０５）、付加音の発音制御がなされる。
【００３８】
最後に音色やテンポなどの設定状態を表示部１１６に表示する処理やＤＳＰ効果付加回路１１８においてなされる各チャンネルにおけるビブラート、ドラムゲート処理などの効果のための制御パラメータの更新処理などが行われる（ステップＳ１０６）。
【００３９】
図６は、図５のステップＳ１０５で行われる付加音処理の処理手順を示すフローチャートである。最初に上記コード検出部１１による付加音決定処理（ステップＳ２０１）が行われ、次にハーモニ付加部１２による音像定位設定処理が行われる（ステップＳ２０２）。
【００４０】
ここでステップＳ２０１の付加音決定処理については、先に述べたとおりであり、その詳細は省略する。
【００４１】
図７は、パネル操作部１１５で、トリオ（ヴォーカル）の音色設定を行った際に、ハーモニ付加部１２における２次元の音像定位の設定状態を示す説明図である。上述のように、コード検出部１１により、基本ノート（キーノート）データに対し、３度上のノートデータと４度下のノートデータが、出力される。これらのノートデータが上記ハーモニ付加部１２に入力されると、上記割当設定部１２ａにより、各ハーモニパートへ夫々のノートデータが割り当てられる。
【００４２】
他方パネル操作部１１５のパネル操作により音色設定部１０に設定のなされた音色パラメータに基づき、音色別ハーモニデータ設定格納部１２ｂから、２次元のハーモニデータ設定情報が読み出され、音像定位設定部１２ｃに送られる。それに基づき、上記音像定位設定部１２ｃにより、図７に示されるように、各ハーモニパートに対する音像定位設定がなされる。すなわち、基本ノートデータが割り当てられたハーモニパートでは、Ｒ側及びＬ側の音量デプスが夫々７０に設定され、また３度上のノートデータが割り当てられたハーモニパートでは、Ｒ側の音量デプスが１００及びＬ側の音量デプスが４０に設定され、さらに４度下のノートデータが割り当てられたハーモニパートでは、Ｒ側の音量デプスが４０及びＬ側の音量デプスが１００に設定されている。これらの各ハーモニパートは、以上のようなパン設定を行うことで、横方向での広がりを表現できるため、夫々のディレイタイムは０ｍｓに設定されている。
【００４３】
図８は、パネル操作部１１５で、Ａ、Ｂ、Ｃ列、各３人が並んだコーラス（ヴォーカル）の音色設定を行った際に、ハーモニ付加部１２における３次元の音像定位の設定状態を示す説明図である。上述のように、コード検出部１１により、基本ノート（キーノート）データに対し、３度上のノートデータと４度下のノートデータが、出力される。これらのノートデータが上記ハーモニ付加部１２に入力されると、上記割当設定部１２ａにより、各ハーモニパートへ夫々のノートデータが割り当てられる。
【００４４】
他方パネル操作部１１５のパネル操作により音色設定部１０に設定のなされた音色パラメータに基づき、音色別ハーモニデータ設定格納部１２ｂから、３次元のハーモニデータ設定情報が読み出され、音像定位設定部１２ｃに送られる。それに基づき、上記音像定位設定部１２ｃにより、図８に示されるように、各ハーモニパートに対する音像定位設定がなされる。すなわち、基本ノートデータが割り当てられたハーモニパートでは、Ｒ側及びＬ側の音量デプスが夫々７０に設定され、また３度上のノートデータが割り当てられたハーモニパートでは、Ｒ側の音量デプスが１００及びＬ側の音量デプスが４０に設定され、さらに４度下のノートデータが割り当てられたハーモニパートでは、Ｒ側の音量デプスが４０及びＬ側の音量デプスが１００に設定されている。これらの各ハーモニパートは、以上のような設定を行うことで、横方向での広がりを表現できる。
【００４５】
他方Ａ、Ｂ、Ｃ列の奥行き方向では、各列に距離があるため、夫々の音像定位にディレイがかかる。そのため、最初のＡ列では全てディレイタイムは０ｍｓに設定されているが、次のＢ列ではディレイタイムが全て５ｍｓに設定され、さらにＣ列ではディレイタイムが全て１０ｍｓに設定されることになる。以上のようにすることで、奥行き方向の音像定位が設定できることになる。
【００４６】
図９は、上記図８の３次元音像定位設定がなされた場合に、実際に測定されるＡ列、Ｂ列及びＣ列における音のずれ状態を示すタイムチャートを示している。同図に示すように、実際に発音される楽音では、Ａ列のディレイタイムは０ｍｓとは言っても、実際にはわずかなタイムラグがあるが、Ｂ列及びＣ列では、Ａ列に対し相対的に、設定されたディレイタイム分だけ遅れて楽音が出力されていることが分かる。
【００４７】
以上詳述した本実施例構成によれば、デフォルトで予め決められた数のハーモニパートに対し、コード検出部１１で検出されたコードの基本ノートデータが、ハーモニ付加部１２により、１のハーモニパートがそれに割り振られ、また該コードの残りのノートデータが夫々別のハーモニパートに割り当てられる。さらに、同じくパネル設定により音色設定部１０にパラメータ設定のされた音色の種類に基づき、ハーモニ付加部１２によって、各ハーモニパートの２次元又は３次元の音像定位が設定されることになる。そしてキー＆トーンアサイナ１３により、音像定位の設定された夫々のハーモニパートの各ノートデータが、楽音発生チャンネルに割り当てられ、楽音発生部１４により、割り当てられた楽音発生チャンネル毎に、パラメータ設定された音色データに対応する各ノートデータが読み出され、楽音が発生せしめられることになる。そのため、本電子オルガン１００では、パネル操作部１１５のパネル操作でアンサンブル演奏モードが選択された場合、選ばれた音色の種類によって、ハーモニの空間的拡がりを適宜変える（例えばピアノは少なく、ヴォーカルは大きくなどと変更する）ことができるようになり、ひとりで簡単にアンサンブル演奏を楽しむことが可能となる。
【００４８】
尚、本発明の電子楽器は、上述の実施例にのみ限定されるものではなく、本発明の要旨を逸脱しない範囲内において種々変更を加え得ることは勿論である。
【００４９】
【発明の効果】
以上、説明したように本発明の請求項１〜請求項４記載の電子楽器によれば、選ばれた音色の種類によって、ハーモニの空間的拡がりを適宜変えることができるようになり、ひとりで簡単にアンサンブル演奏を楽しむことが可能となるという優れた効果を奏し得る。
【図面の簡単な説明】
【図１】本発明の一実施例にかかる演奏制御装置構成が搭載された電子オルガン１００の外観構成を示す斜視図である。
【図２】本電子オルガン１００の基本回路図である。
【図３】本発明の機能ブロックを示すブロック図である。
【図４】上記本発明構成におけるハーモニ付加部１２の機能ブロック構成を示すブロック図である。
【図５】本電子オルガン１００のメインフローを示すフローチャートである。
【図６】ステップＳ１０５で行われる付加音処理の処理手順を示すフローチャートである。
【図７】トリオ（ヴォーカル）の音色設定を行った際に、ハーモニ付加部１２における２次元の音像定位の設定状態を示す説明図である。
【図８】３列、各３人が並んだコーラス（ヴォーカル）の音色設定を行った際に、ハーモニ付加部１２における３次元の音像定位の設定状態を示す説明図である。
【図９】３次元音像定位設定がなされた場合に、実際に測定されるＡ列、Ｂ列及びＣ列における音のずれ状態を示すタイムチャートを示している。
【符号の説明】
１０　　　音色設定部
１１　　　コード検出部
１２　　　ハーモニ付加部
１２ａ　　割当設定部
１２ｂ　　音色別ハーモニデータ設定格納部
１２ｃ　　音像定位設定部
１３　　　キー＆トーンアサイナ
１４　　　楽音発生部
１５　　　自動伴奏部
１００　　　電子オルガン
１１０　　　システムバス
１１１　　　ＣＰＵ
１１２　　　ＲＡＭ
１１３　　　ＲＯＭ
１１４　　　鍵盤部
１１４ａ　　キースキャン回路
１１５　　　パネル操作部
１１５ａ　　パネルスキャン回路
１１６　　　表示部
１１６ａ　　表示制御回路
１１７　　　楽音発生回路
１１７ａ　　波形メモリ
１１８　　　ＤＳＰ効果付加回路
１１９　　　Ｄ／Ａ変換回路
１２０　　　サウンドシステム
【図１】
2004045902.tif 000003
【図２】
2004045902.tif 000004
【図３】
2004045902.tif 000005
【図４】
2004045902.tif 000006
【図５】
2004045902.tif 000007
【図６】
2004045902.tif 000008
【図７】
2004045902.tif 000009
【図８】
2004045902.tif 000010
【図９】
2004045902.tif 000011